(57)【要約】【課題】  矯正の意識のないままで使用することができ、かつ筆箱などへの収納に際しても邪魔にならないようにした持ち方矯正具および持ち方矯正機能付き筆記具を提供する。【解決手段】  筆記具持ち方矯正具は、筆記具胴体部への装着部を有し、その外表面に親指と人差指で挟み持ちするフィン状突起を設けた。また、持ち方矯正機能付き筆記具は、筆記具胴体部の握り部外面に胴体長手方向に沿ったフィン状突起を設け、当該フィン突起を親指および人差指で挟み持ちして筆記できるように構成した。【選択図】    図１
2006056035.tif 000002
【特許請求の範囲】
【請求項１】
筆記具胴体部への装着部を有し、その外表面に親指と人差指で挟み持ちする１条のフィン状突起を設けたことを特徴とする筆記具の持ち方矯正具。
【請求項２】
前記装着部は円筒形状となっていることを特徴とする請求項１に記載の筆記具持ち方矯正具。
【請求項３】
前記装着部は筆記具胴体部への接着台座として形成されていることを特徴とする請求項１に記載の筆記具持ち方矯正具。
【請求項４】
前記装着部は筆記具胴体部を抱き着き装着可能なＣリング断面構造とされていることを特徴とする請求項１に記載の筆記具持ち方矯正具。
【請求項５】
筆記具胴体のグリップ部外面に胴体長手方向に沿ったフィン状突起を設け、当該フィン突起を親指および人差指で挟み持ちして筆記可能としてなることを特徴とする持ち方矯正機能付き筆記具。
【請求項６】
前記フィン状突起は筆記具胴本体に着脱可能とされていることを特徴とする請求項５に記載の持ち方矯正機能付き筆記具。
【発明の詳細な説明】
【技術分野】
【０００１】
本発明は持ち方矯正具および持ち方矯正機能付き筆記具に係り、特に筆記具を適正に握り持ち可能にできる矯正具と矯正機能のある筆記具に関する。
【背景技術】
【０００２】
従来、筆記具の持ち方を矯正する器具類は様々なものが提示されている。特許文献１に示されたものは、面取りした三角柱の軸芯部に鉛筆などの筆記具挿入孔を形成したゴム製あるいは樹脂製のグリップとして提供され、グリップ平面に親指、人差指の腹面を当てると共に、残りの面に中指背脇部を押し当てて使用するようにしている。また、特許文献２には、同様の三角柱であるが、平面部に凹所を形成して指腹部をこの凹所に押し当てるようにして筆記具の持ち方を矯正できるようにしたものが提案されている。
【特許文献１】特開２００２−２５４８８７号公報
【特許文献２】特開 平０８−２２０９８６号公報
【発明の開示】
【発明が解決しようとする課題】
【０００３】
しかしながら、上述した従来例に係る矯正具はサイズ的に大きくて筆記具に装着した状態では邪魔になるだけであり、さらに筆記具への着脱が困難であるという欠点を抱えていた。その他の矯正具も複雑な形状をして指の一つ一つを拘束する形態であるために積極的に使用しようとする気持ちになるものとはいえなかった。
【０００４】
本発明は、上記従来の問題点に着目し、矯正の意識のないままで使用することができ、かつ筆箱などへの収納に際しても邪魔にならないようにした持ち方矯正具および持ち方矯正機能付き筆記具を提供することを目的とする。
【課題を解決するための手段】
【０００５】
上記目的を達成するために、本発明に係る筆記具の持ち方矯正具は、筆記具胴体部への装着部を有し、その外表面に親指と人差指で挟み持ちするフィン状突起を設けたことを特徴としている。前記装着部は円筒形状とし、あるいは、筆記具胴体部への接着台座として形成され、あるいは、筆記具胴体部を抱き着き装着可能なＣリング断面構造とすることができる。
【０００６】
上記矯正具をゴムのような弾性材料で製作することが簡単であるが、樹脂材料によって製作することにより、矯正具の一部を開閉できるように分割構造としておき、開閉操作による着脱可能な構造とすることもできる。
【０００７】
本発明に係る持ち方矯正機能付き筆記具は、筆記具胴体部のグリップ部外面に胴体長手方向に沿ったフィン状突起を設け、当該フィン突起を親指および人差指で挟み持ちして筆記できるように構成したことを特徴としている。前記フィン状突起は筆記具胴本体に着脱可能とすることができる。
【発明の効果】
【０００８】
上記発明によれば、筆記具の胴体部に矯正具を着脱することができ、あるいは胴体部にフィン状突起を設けた筆記具として構成される。矯正具を装着した状態ではフィン状突起が筆記具の長手方向に沿って延びるが、これを親指と人差指で挟み持つようにして筆記具を掴んで中指を筆記具に添えれば、自然に正しい持ち方となり、しかも筆記に際して障害になることはない。形状としては断面から見た外形が点滴形であり、デザイン的に簡易であるとともに、突起物は１条のフィン状突起部分のみなので、収納の邪魔になることもない。特に、筆記具それ自体にフィン状突起を設けた場合でも、フィン状突起は筆記具デザインの一部として融合しやすい低い突条として形成しても矯正機能は維持されるので、より一層収納の邪魔になるようなことがなくなる。
【発明を実施するための最良の形態】
【０００９】
以下に、本発明に係る持ち方矯正具および持ち方矯正機能付き筆記具の具体的な実施の形態を、図面を参照しつつ、詳細に説明する。
【００１０】
図１に示した例は筆記具の持ち方矯正具の斜視図であり、図２は正面図と断面図を示している。図示のように、実施形態に係る矯正具１０はゴムからなり、鉛筆などの筆記具１２のグリップ部に取り付けられる装着部１４を有している。装着部１４は内部に筆記具１２を挿通させる貫通孔１６が設けられた円筒体形状とされ、ゴム材料の弾性力を利用して筆記具グリップ部に密着して位置保持できるようになっている。このような円筒装着部１４の外表面にはフィン状突起１８が形成されている。これは円筒軸芯に沿う突条であり、筆記具１２に装着されたときに筆記具胴体の長手方向に沿うように形成されている。これにより、筆記具１２への装着状態において、筆記具１２を手で持つような状態にして、前記フィン状突起１８を両面から親指と人差指で挟み持ちすることができ、中指がそのフィン状突起１８の形成部分の反対側に添えられることにより、筆記体制となり、筆記具１２を用いた筆記操作が正しい持ち方でできるようになる。
【００１１】
図３は他の筆記具持ち方矯正具の実施形態を示している。同図（１）は筆記具貫通孔１６Ａの断面形状を六角形状とした例である。通常、筆記具１２としての鉛筆は六角断面となっているため、これに適合するようにしたものである。同図（２）は装着部１４を円筒体とせず、筆記具１２のグリップ表面部に倣う接着台座２０とし、この接着台座２０の外表面にフィン状突起１８を形成したものである。接着台座２０の下面に粘着テープなどを張り付けて筆記具１２に取り付けるようにしている。同図（３）に記載の例は、装着部の形状を、筆記具胴体部を抱き着き装着可能なＣリング断面形状としたものである。このようなＣリング装着部１４Ａにすれば、着脱が容易であり、筆記具１２の先端から軸方向に沿った差込操作で装着したり、Ｃリング部の切り込み部分に筆記具１２の胴体を押し込んで装着することができる。同図（４）は強制具１０を分割開閉構造として着脱できるようにしたものである。すなわち、フィン状突起を縦割りにして左右突起１８Ｌ、１８Ｒの分割面に凹凸嵌合部２２を形成しておき、リング部の途中に折れ曲がり部２４を形成しておく。
【００１２】
このように構成された筆記具持ち方矯正具では、図４に示しているように、単純に親指と人差指で挟み持つフィン状突起１８を筆記具１２のグリップ部に取り付けるだけで、正しい持ち方に矯正することができる。そして、フィン状突起１８は指を拘束するものではないため、誰でもが簡単に、かつ違和感を持つことなく正しい筆記具の持ち方を覚えることができ、使い勝手が極めて良好なものとなっている。
【００１３】
なお、上記矯正具１０の素材はゴム材料としたが、樹脂材料など任意の素材を用いることができる。硬質系の材料の場合には円筒部分を分割したり、図３（４）に示しているように、フィン状突起１８部分を縦割りに分割した開閉タイプにして筆記具１０に装着できるようにしたりすることも可能である。
【００１４】
次に、上述の矯正具を応用した持ち方矯正機能付き筆記具を図５に示す。これはシャープペンシルやボールペンなど筆記具１２のグリップ部２２の外面に、筆記具胴体長手方向に沿ったフィン状突起１８を設けたものである。いわゆる外部装着タイプではなく、筆記具一体型としたものである。当該フィン状突起１８は、予めグリップ部２２に一体的に形成しておき、筆記具１２に直接組み付けて構成されている。使用に際しては、図４に示した場合と同様に、親指および人差指で挟んで手に持って筆記するようにしておけばよい。もちろん、グリップ部２２を筆記具１２の本体に着脱可能としておけば、これに取り付けられたフィン状突起１８も筆記具１２に対して着脱可能となる。
【００１５】
なお、グリップ部２２を筆記具胴体部に回転可能にしておくことで、フィン状突起１８の位置を変更でき、使用者の筆記具の持ち直し操作が楽にできる。
【００１６】
グリップ部２２にフィン状突起１８を形成する場合には、図６（１）に示すように外縁を曲線にした円弧フィン１８Ａとしたり、同図（２）に示すようにグリップ部２２の長手方向の一部にだけ形成した短尺フィン１８Ｂとするなど、各種のデザインを施すことができる。また、フィン状突起１８の外表面やグリップ部２２の外表面には滑り止め加工を施すようにしてもよい。
【００１７】
このような実施形態によれば、筆記具１２として当初からフィン状突起１８を装備し、あるいはグリップ部２２とともに筆記具１２に着脱可能に取り付けておくことにより、筆記具１２の使用に際して、親指と人差指でフィン状突起１８を挟み持って筆記することで、使用者は正しい持ち方を習得することができる。
【産業上の利用可能性】
【００１８】
本発明に係る筆記具持ち方矯正具および持ち方矯正機能付き筆記具は教育器材の製造業や事務機器製造業への利用が可能である。
【図面の簡単な説明】
【００１９】
【図１】本発明に係る筆記具持ち方矯正具の実施形態の斜視図である。
【図２】同矯正具の正面図と断面図である。
【図３】同矯正具の変形例を示す正面図と斜視図である。
【図４】同矯正具の使用状態斜視図である。
【図５】本発明に係る持ち方矯正機能付き筆記具の実施形態に係る斜視図である。
【図６】同筆記具の変形例を示す部分側面図である。
【符号の説明】
【００２０】
１０………筆記具持ち方矯正具、１２………筆記具、１４………装着部、１６………貫通孔、１８………フィン状突起、２０………接着台座、２２………グリップ部。
【図１】
2006056035.tif 000003
【図２】
2006056035.tif 000004
【図３】
2006056035.tif 000005
【図４】
2006056035.tif 000006
【図５】
2006056035.tif 000007
【図６】
2006056035.tif 000008